(57)【要約】【課題】既存のドライバを利用するでコストアップを抑えることが可能で、しかも動画の表示に適した表示装置及びその駆動方法の提供。【解決手段】複数の走査信号線と複数の映像信号線により構成した表示領域と、この表示領域の走査信号線に接続された走査信号ドライバと、表示領域の映像信号線に接続された映像信号ドライバと、を有する表示装置で、映像信号ドライバに接続され、２個ずつ連続した同じ画像データを外部から取り込むタイミングコントローラと、タイミングコントローラが取り込んだ画像データを書込むフレームメモリを有し、タイミングコントローラは、２個ずつ連続した同じ画像データのうち、ひとつおきの画像データをフレームメモリに書込み、フレームメモリに画像データを書込む際のフレーム周波数と、フレームメモリから画像データを変換した画像情報を読み出す際のフレーム周波数が異なっている。【選択図】図２
2007225945.tif 000002
【特許請求の範囲】
【請求項１】
複数の走査信号線と、該複数の走査信号線に交差して配置された複数の映像信号線により構成した表示領域と、
該表示領域の走査信号線に接続された走査信号ドライバと、
前記表示領域の映像信号線に接続された映像信号ドライバと、を有する表示装置であって、
前記映像信号ドライバに接続され、２個ずつ連続した同じ画像データを取り込むタイミングコントローラを有し、
該タイミングコントローラが取り込んだ前記画像データを書込むフレームメモリを有し、
前記タイミングコントローラは、
２個ずつ連続した同じ画像データのうち、ひとつおきの画像データを前記フレームメモリに書込むものであり、
前記フレームメモリに前記画像データを書込む際のフレーム周波数と、前記フレームメモリから前記画像データを変換した画像情報を読み出す際のフレーム周波数が異なっている表示装置。
【請求項２】
請求項１において、
前記タイミングコントローラは、前記フレームメモリに前記画像データを書込むフレーム周波数よりも高いフレーム周波数で、前記フレームメモリから前記画像情報を読み出している表示装置。
【請求項３】
請求項２において、
前記フレームメモリから前記画像情報を読み出す際のフレーム周波数は１００Ｈｚ以下である表示装置。
【請求項４】
請求項３において、
前記フレームメモリに前記画像データを書込む際のフレーム周波数は６６Ｈｚ以下である表示装置。
【請求項５】
複数の走査信号線と、該複数の走査信号線に交差して配置された複数の映像信号線により構成した表示領域と、
該表示領域の走査信号線に接続された走査信号ドライバと、
前記表示領域の映像信号線に接続された映像信号ドライバと、を有する表示装置であって、
前記映像信号ドライバに接続され、２個ずつ連続した同じ画像データを取り込むタイミングコントローラを有し、
該タイミングコントローラが取り込んだ前記画像データを書込むフレームメモリを有し、
前記タイミングコントローラは、２個ずつ連続した同じ画像データのうち、ひとつおきの画像データを前記フレームメモリに書込むものであり、
前記タイミングコントローラは、２個ずつ連続した同じ画像データをフレーム周波数が６６Ｈｚ以下で受け取り、
前記映像信号ドライバは、前記表示領域にフレーム周波数が１００Ｈｚ以下で前記画像データを変換した画像信号を出力する表示装置。
【請求項６】
請求項５において、
前記タイミングコントローラは、前記フレームメモリに６６Ｈｚ以下のフレーム周波数で前記画像データを書込み、前記フレームメモリから１００Ｈｚ以下のフレーム周波数で前記画像データを変換した画像情報を読み出している表示装置。
【請求項７】
複数の走査信号線と、該複数の走査信号線に交差して配置された複数の映像信号線により構成した表示領域と、
該表示領域の走査信号線に接続された走査信号ドライバと、
前記表示領域の映像信号線に接続された映像信号ドライバと、
前記映像信号ドライバに接続されたタイミングコントローラと、
該タイミングコントローラによって画像データを書込んだり、該画像データを変換した画像情報を読み出したりするフレームメモリを有し、
前記タイミングコントローラは、該タイミングコントローラが取り込んだ画像データのうち、ひとつおきの画像データを前記フレームメモリに第一のフレーム周波数で書込み、前記フレームメモリから前記第一のフレーム周波数よりも高い第二のフレーム周波数で前記画像情報を読み出す表示装置。
【請求項８】
請求項７において、
前記第二のフレーム周波数は１００Ｈｚ以下である表示装置。
【請求項９】
請求項８において、
前記第一のフレーム周波数は６６Ｈｚ以下である表示装置。
【発明の詳細な説明】
【技術分野】
【０００１】
本発明は、液晶表示装置、有機EL(Electro Luminescence)ディスプレイやLCOS(Liquid Crystal On Silicon)ディスプレイのようなホールド型の表示装置及びその駆動方法に係り、特に動画の表示に適した表示装置及びその駆動方法に関する。
【背景技術】
【０００２】
表示装置を特に動画表示の観点で分類した場合、インパルス型表示装置とホールド型表示装置に大別される。インパルス型表示装置とは、ブラウン管のように、画素は走査された期間だけ輝き、画素の輝度は走査直後から低下するタイプであり、ホールド型表示装置とは、液晶表示装置のように、表示データに基づく輝度を次の走査まで保持し続けるタイプである。
【０００３】
ホールド型表示装置の特徴としては、静止画の場合はちらつきのない良好な表示品質を得ることができるが、動画の場合には移動する物体の周囲がぼやけて見える、所謂動画ぼやけが発生し、表示品質が低下してしまう。この動画ぼやけの発生要因は、物体の移動に伴い視線を移動する際、輝度のホールドされた表示画像に対して移動前後の表示イメージを観測者が補間する、所謂網膜残像に起因するため、表示装置の応答速度をどれだけ向上させても動画ぼやけは完全に解消しない。
【０００４】
ホールド型表示装置の動画ぼやけを解決する技術として、例えば特許文献１に開示されているように、連続する表示データの間にブランキングデータ（黒表示データ）を挿入する技術（以下、黒表示データ挿入方式と略す）、つまり、１フレーム期間に表示データとブランキングデータを表示する技術がある。
【０００５】
また、黒表示データを挿入する技術としては、例えば特許文献２に記載のように、ホールド型の表示装置において、画素に所望の画素値を書込む際、実効的な書込をフレーム期間中の一部期間に集中して行い、その際、前記の一部期間における書込で視覚上所望の画素値が実現されるよう、一部期間における書込値を所望の画素値よりも高く設定し、一部期間以外では画素値の書込値を相対的に低くなるため、結果的にインパルス型表示装置に似た動画像の視認性を得る方法が知られている。当該技術では、フレーム期間をｍ分割して各期間を第１期間〜第ｍ期間と表記するとき（ｍは２以上の整数）、画素に書込むべき所望の画素値をｍ倍にして第１期間に書込み、第２期間以降では０を書込む手段を備える。更にまた同表示装置では、ｍ倍した画素値が表示装置の表示可能なレンジを超えたとき、第１期間ではレンジの上限値を画素に書込み、書込み切れなかった超過分を第２期間の到来を待って画素に書込み、以下、第ｉ（但し、ｉは２以上ｍ−１以下）期間で書込みきれなかった超過分を順次第ｉ＋１期間の到来を待って書込むことで、動画像の視認性を改善することができる。以下、本願明細書においては、この駆動方式をフレーム分割駆動と定義する。
【０００６】
また、液晶表示装置においては、液晶素子の応答速度が遅いことに起因する動画ぼやけも発生する。このような液晶の応答速度の問題を解決するために、１フレーム前の入力画像信号と現フレームの入力画像信号の差分に応じて、現フレームの入力画像信号の階調が１フレーム前の入力画像信号の階調よりも高くなる（明るくなる）場合に、現フレームの入力画像信号に対する階調電圧より高い駆動電圧を液晶表示パネルに供給し、現フレームの入力画像信号の階調が１フレーム前の入力画像信号の階調よりも低くなる（暗くなる）場合に、現フレームの入力画像信号に対する階調電圧より低い駆動電圧を液晶表示パネルに供給する駆動方法が知られている（特許文献３）。
【０００７】
【特許文献１】特開2003-280599号公報
【特許文献２】特開2004-240317号公報
【特許文献３】特開平4-365094号公報
【発明の開示】
【発明が解決しようとする課題】
【０００８】
一般に画像のちらつきが目立たなくなる表示画面のフレーム周波数としては６０Ｈｚ程度のものが使用されている。この周波数以上では人間の目における残像現象の影響でちらつきを抑えることができるが個人差があり７０Ｈｚ以上でないとちらつくという場合もある。フレーム周波数が６０Ｈｚとは１秒間に６０フレームの画像を描画することになる。このため、動画コンテンツをこの速度に合わせると６０枚の画像データを作成する必要がある。これに対し、動きが遅い特定の画像では１秒間に３０フレームの画像でも十分対応できることがある。
【０００９】
一方、液晶パネルについては動画表示をするために液晶の応答速度が重要になる。この応答速度が遅いと動画ぼやけとして見える。この応答速度を改善する方法として液晶の材料自体を高速にする方法と表示方法を改良する方法がある。表示方法を改良する方法の一つとして前述した特許文献３のようなオーバードライブ駆動が採られている。前述した１秒間に３０フレームの画像のような動きの遅い画像であっても、画像の切り換わりのタイミングにおいてはちらつきが発生するため何らかの対策が必要であるが、このようなオーバードライブ駆動を用いてちらつきの対策を行おうとしても、オーバードライブ駆動はフレーム間の差分から補正量をとるため、１秒間のフレーム数が少ないとあまり効果が期待できないという問題がある。
【００１０】
また、入力表示データのフレーム周波数に対しフレーム周波数をｍ倍化する所謂倍速駆動があるが、倍速駆動を行うためにはドライバ（例えば液晶ドライバ）などがその周波数に対応するものでなければならない。そのため、倍速化駆動に対応可能な部品を新規に開発する必要がありコストアップにつながってしまう。
【００１１】
一方、新規に開発する必要のない既存の汎用ドライバはフレーム周波数が１００Ｈｚ程度ならば対応可能なことがわかった。
【００１２】
本発明は、既存の液晶ドライバが１００Ｈｚ程度まで駆動できることに着目し、既存のドライバを利用するでコストアップを抑えることが可能で、しかも動画の表示に適した表示装置及びその駆動方法を提供することを目的とする。
【００１３】
本発明は、１秒間あたり３０フレームの画像を擬似的に１秒間あたり９０フレームの画像とし、１フレームを同じ画像３フレームとして、この３フレームに対して演算処理を施し、動画ボヤケを改善する。
【課題を解決するための手段】
【００１４】
本発明の一つの実施態様によれば、複数の走査信号線と、この複数の走査信号線に交差して配置された複数の映像信号線により構成した表示領域と、この表示領域の走査信号線に接続された走査信号ドライバと、表示領域の映像信号線に接続された映像信号ドライバと、を有する表示装置であって、映像信号ドライバに接続され、２個ずつ連続した同じ画像データを外部から取り込むタイミングコントローラと、タイミングコントローラが取り込んだ画像データを書込むフレームメモリを有し、このタイミングコントローラは、２個ずつ連続した同じ画像データのうち、ひとつおきの画像データをフレームメモリに書込むものであり、このフレームメモリに画像データを書込む際のフレーム周波数と、このフレームメモリから画像データを変換した画像情報を読み出す際のフレーム周波数が異なっている、というものである。
【００１５】
本発明によれば、既存のドライバを利用するでコストアップを抑えることが可能で、しかも動画の表示に適した表示装置及びその駆動方法を提供することができる。
【００１６】
さらには、このタイミングコントローラは、フレームメモリに画像データを書込むフレーム周波数よりも高いフレーム周波数で、フレームメモリから前記画像情報を読み出している、というものである。
【００１７】
具体的には、フレームメモリから画像情報を読み出す際のフレーム周波数は１００Ｈｚ以下であり、フレームメモリに画像データを書込む際のフレーム周波数が６６Ｈｚ以下とすると良い。
【００１８】
本発明によれば、既存のドライバを利用するでコストアップを抑えることが可能で、しかも動画の表示に適した表示装置及びその駆動方法を提供することができる。
【００１９】
本発明の別の実施態様によれば、複数の走査信号線と、この複数の走査信号線に交差して配置された複数の映像信号線により構成した表示領域と、表示領域の走査信号線に接続された走査信号ドライバと、表示領域の映像信号線に接続された映像信号ドライバと、を有する表示装置であって、映像信号ドライバに接続され、２個ずつ連続した同じ画像データを取り込むタイミングコントローラを有し、このタイミングコントローラが取り込んだ画像データを書込むフレームメモリを有し、このタイミングコントローラは、２個ずつ連続した同じ画像データのうち、ひとつおきの画像データをフレームメモリに書込むものであり、さらにこのタイミングコントローラは、２個ずつ連続した同じ画像データをフレーム周波数が６６Ｈｚ以下で受け取り、映像信号ドライバは、表示領域にフレーム周波数が１００Ｈｚ以下で画像データを変換した画像信号を出力する、というものである。
【００２０】
具体的は、このタイミングコントローラは、フレームメモリに６６Ｈｚ以下のフレーム周波数で画像データを書込み、フレームメモリから１００Ｈｚ以下のフレーム周波数で画像データを変換した画像情報を読み出している。
【００２１】
本発明のさらに別の実施態様によれば、複数の走査信号線と、この複数の走査信号線に交差して配置された複数の映像信号線により構成した表示領域と、表示領域の走査信号線に接続された走査信号ドライバと、表示領域の映像信号線に接続された映像信号ドライバと、映像信号ドライバに接続されたタイミングコントローラと、タイミングコントローラによって画像データを書込んだり、画像データを変換した画像情報を読み出したりするフレームメモリを有し、タイミングコントローラは、タイミングコントローラが取り込んだ画像データのうち、ひとつおきの画像データをフレームメモリに第一のフレーム周波数で書込み、フレームメモリから第一のフレーム周波数よりも高い第二のフレーム周波数で画像情報を読み出す、というものである。
【００２２】
具体的には、第二のフレーム周波数を１００Ｈｚ以下、第一のフレーム周波数を６６Ｈｚ以下とすると良い。
【発明の効果】
【００２３】
本発明によれば、映像信号ドライバが１００Ｈｚ以下（例えば約９０Ｈｚ）のフレーム周波数で画像データを変換した画像信号を処理することができるので、ちらつき削減効果があり、また演算処理により動画ボヤケ効果がある表示装置を提供できる。
【発明を実施するための最良の形態】
【００２４】
本発明について図面を用いて詳細に説明する。図１は、本発明のシステム構成図を示す図面である。尚、本発明は表示装置に関するものであるが、ここでは表示装置の一例として液晶表示装置を例にして説明する。
【００２５】
１は本発明の液晶表示装置の全体構成であり、この液晶表示装置１には、表示領域１０及びこの表示領域１０の周辺に配置された駆動ドライバが配置されている。表示領域１０は、複数本の走査信号線１１とこの複数の走査信号線１１に絶縁膜を介して交差するようにして配置された複数本の映像信号線１２が配置され、この走査信号線１１及び映像信号線１２に囲われた領域に対応して画素が構成されている。そして、各画素には走査信号線１１と映像信号線１２の交点に対応して配置されたスイッチング素子１３が配置され、このスイッチング素子１３に接続された画素電極１４と、図示していない共通電極により液晶を制御するように構成されている。尚、液晶表示装置は、一対の基板間に液晶を挟持して構成されるものであり、この一対の基板の一方の基板にこの表示領域１０が構成されることになる。共通電極は一対の基板のどちら側に配置されていても良い。
【００２６】
そして、走査信号線１１は走査信号ドライバ１５に、映像信号線１２は映像信号ドライバ１６にそれぞれ接続されている。
【００２７】
液晶表示装置１のＴＣＯＮ基板２１に配置されたタイミングコントローラ２２（以下、ＴＣＯＮという）は、液晶表示装置１の外部のグラフィックチップ２０からフレーム周波数が３０Ｈｚの動きの遅いコンテンツ１０１を受け取る。２３、２４はＴＣＯＮ基板２１に配置されたＳＤＲＡＭ（フレームメモリ）である。
【００２８】
尚、本実施例ではグラフィックコントローラ２０からＴＣＯＮ２２へ送られる信号とＴＣＯＮ２２がＳＤＲＡＭ１、２（２３、２４）へ書込みを行うまでの信号を画像データと呼び、ＴＣＯＮ２２がＳＤＲＡＭ１、２（２３、２４）から読み出す信号を画像情報と呼び、この画像情報が映像信号ドライバ１６を経由して表示領域１０の映像信号線１２に出力される際の信号を画像信号と呼ぶことにする。
【００２９】
次に、図２を用いて、本発明の駆動方法について説明する。
【００３０】
図２は、本発明のタイミングチャートを示す図面である。
【００３１】
図２中のＤＡＴＡは、グラフィックコントローラ２０からＴＣＯＮ基板２１に入力される画像データを示している。本実施例ではグラフィックコントローラ２０からフレーム周波数が６０Ｈｚで画像Ａが２回送られてきており、見方を変えれば３０Ｈｚで画像データである画像Ａが１回送信されていることになる。
【００３２】
ＴＣＯＮ２２は、グラフィックコントローラ２０から送られてきた画像ＡをＳＤＲＡＭ１（２３）にフレーム周波数６０Ｈｚで書込み、続けてこの書込んだ画像Ａを保持していることを示している。つまり、ＴＣＯＮ２２は、２個ずつ連続した同じ画像データのうち、ひとつおきの画像データをＳＤＲＡＭ１（２３）（フレームメモリ）に書込んでいる。
【００３３】
次に、グラフィックコントローラ２０からＴＣＯＮ２２にフレーム周波数が６０Ｈｚで画像Ｂが２回送られてくるが、このタイミングでＴＣＯＮ２２はＳＤＲＡＭ１（２３）からフレーム周波数９０Ｈｚで画像情報となる画像Ａを読み出し、続けてフレーム周波数９０Ｈｚで同じく画像Ａを読み出す。さらに、フレーム周波数９０Ｈｚで黒データを読み出すというものである。
【００３４】
ＴＣＯＮ２２は、読み出した画像情報となる画像Ａ、画像Ａ、黒データをＤＯＵＴ１０２として、映像信号ドライバ１６に送出している。
【００３５】
また、グラフィックコントローラ２０からＴＣＯＮ２２にフレーム周波数が６０Ｈｚで画像Ｂが２回送られてくるが、このタイミングでＴＣＯＮ２２は画像ＢをＳＤＲＡＭ２（２４）にフレーム周波数６０Ｈｚで書込み、続けてこの画像Ｂを保持している。
【００３６】
次に、グラフィックコントローラ２０からＴＣＯＮ２２にフレーム周波数が６０Ｈｚで画像Ｃが２回送られてくるが、このタイミングでＴＣＯＮ２２はＳＤＲＡＭ２（２４）からフレーム周波数９０Ｈｚで画像Ｂを読み出し、続けてフレーム周波数９０Ｈｚで同じく画像Ｂを読み出す。さらに、フレーム周波数９０Ｈｚで黒データを読み出す。
【００３７】
ＴＣＯＮ２２は、読み出した画像Ｂ、画像Ｂ、黒データをＤＯＵＴ１０２として、映像信号ドライバ１６に送出している。
【００３８】
また、グラフィックコントローラ２０からＴＣＯＮ２２にフレーム周波数が６０Ｈｚで画像Ｃが２回送られてくるが、このタイミングでＴＣＯＮ２２は画像ＣをＳＤＲＡＭ１（２３）にフレーム周波数６０Ｈｚで書込み、続けてこの画像Ｃを保持するというものである。
【００３９】
映像信号ドライバ１６は、ＴＣＯＮ２２から送出されてきた画像情報を画像信号として表示領域１０の映像信号線１２に送出している。
【００４０】
尚、ＴＣＯＮ２２がＳＤＲＡＭ１（２３）、ＳＤＲＡＭ２（２４）を用いてグラフィックコントローラ２０から送られてきた画像データを書込んだり、画像情報を読み出したりしているが、書込みを行う場合はフレーム周波数を６０Ｈｚとし、読み出しを行う場合にはフレーム周波数が９０Ｈｚとしている。このように、２個ずつ連続した同じ画像データを取り込むＴＣＯＮ２２を有し、このＴＣＯＮ２２は、２個ずつ連続した同じ画像データのうち、ひとつおきの画像データをＳＤＲＡＭ１、２（２３、２４）に書込むものであり、ＴＣＯＮ２２がＳＤＲＡＭ１、２（２３、２４）に対して書込みを行うフレーム周波数よりも高いフレーム周波数で読み出しを行っていることが本発明の特徴の一つである。
【００４１】
尚、読み出しを行うフレーム周波数を汎用のドライバでも対応可能な１００Ｈｚ以下の９０Ｈｚとし、書込みを行うフレーム周波数６０Ｈｚの１.５倍速としている点も特徴の一つである。このように、ＴＣＯＮ２２がＳＤＲＡＭ１、２（２３、２４）に対して書込みを行うフレーム周波数よりも、読出しを行うフレーム周波数を高い周波数で行うためには、ＴＣＯＮ２２とＳＤＲＡＭ１、２（２３、２４）との間のバス幅を増やすことで対応可能である。
【００４２】
本発明の場合には、ＴＣＯＮ２２がＳＤＲＡＭ１、２（２３、２４）に書込みを行う周波数（６０Ｈｚ）と、読み出しを行う周波数（９０Ｈｚ）を変えることにより、１回の書込みに対して、１．５回の読出し、言い換えれば、２回の書込みに対して３回の読出しとすることができ、この読み出しの３回において、オーバードライブや黒書込み等の処理を行うことが可能となるので良好な動画の表示を行うことができる。尚、この例では読出しを９０Ｈｚ、書込みを６０Ｈｚとして説明したが、読出しは１００Ｈｚ以下であれば良く、書込みも６６Ｈｚ以下であればよい。
【００４３】
尚、従来の表示装置のように、ＴＣＯＮ２２がＳＤＲＡＭ１、２（２３、２４）に書込みを行う周波数（例えば６０Ｈｚ）と、読み出しを行う周波数（例えば６０Ｈｚ）が同じ場合にも、２回の書込みに対して２回の読出しを行うことができるので、読み出しの２回のうちの１回を使って黒データの書込みは可能であるが、この場合には２回の読出しにおいてオーバードライブや黒書込み等を行わなければならず、様々なデータ変換を行って処理を行うことはできない。尚、この場合、書込みを２回としているのは便宜上の話で、１回書込みで、残りの１回を保持としても良い。
【００４４】
本実施例の場合には、１回の書込みに対して１．５回の読出し、言い換えれば２回の書込みに対して３回の読出しとしているので、この３回の読出しを使用して次のような駆動も可能となる。
【００４５】
即ち、まず、第１の例として、読出しの３回のうち最初の１回で例えば画像Ａをオーバードライブさせた画像情報を読み出して、ＤＯＵＴ１０２として映像信号ドライバ１６に出力し、次の２回において通常の画像Ａを２回読み出すような処理が考えられる。
【００４６】
さらには、第２の例として、最初の１回で画像Ａをオーバードライブさせた画像情報を読出し、次の１回で通常の画像Ａを読出し、さらに次の１回で黒データを読み出すことも考えられる。
【００４７】
さらには、第３の例として第２の例で説明した２回目と３回目の画像情報を調整するという方法を説明する。第３の例では、最初の１回目で画像Ａをオーバードライブさせた信号を読出して、２回目と３回目で画像輝度の劣化を少なくするため、２回目で通常の画像Ａより少し輝度を上げた画像情報を読出し、さらに３回目で輝度を上げた分を黒データに近づけるように輝度を下げて画像情報を読み出すうようにし、２回目と３回目での輝度の平均を通常の画像２枚分の平均とほぼおなじようにすることも考えられる。
【００４８】
このように、本発明ではＴＣＯＮから読み出す画像情報を１秒間に３回の読出しとすることでちらつきを削減し、動画ぼやけも低減することのできる表示装置を提供することができる。
【００４９】
次に、図３を用いて、本発明の別の駆動方法について説明する。
【００５０】
図３は、本発明のタイミングチャートを示す図面である。
【００５１】
図３中のＤＡＴＡは、グラフィックコントローラ２０からＴＣＯＮ基板２１に入力される画像データを示している。本実施例ではグラフィックコントローラ２０からフレーム周波数が６０Ｈｚで画像データとなる画像Ａが２回送られてきており、見方を変えれば３０Ｈｚで画像Ａが１回送信されていることになる。
【００５２】
図３の場合には、ＴＣＯＮ２２は、グラフィックコントローラ２０から送られてきた画像Ａ、画像Ａ、画像Ｂ、画像Ｂ、画像Ｃ、・・・を、図２のタイミングチャートと同様に、画像Ａ、画像Ｂのタイミングで取り込んでいる。図３に示すタイミングチャートでは、ＴＣＯＮ２２は、ＳＤＲＡＭ１（２３）にフレーム周波数６０Ｈｚで画像Ａを書込み、続けてこの画像Ａを保持していることを示している。即ち、画像Ｂを取り込んでいるが、この画像ＢはＳＲＡＭ１への書込みには用いていない。
【００５３】
次に、グラフィックコントローラ２０からＴＣＯＮ２２にフレーム周波数が６０Ｈｚで送られてくる画像Ｂ、画像Ｃを取り込むことになるが、このタイミングでＴＣＯＮ２２はＳＤＲＡＭ１（２３）からフレーム周波数９０Ｈｚで画像情報となる画像Ａを読み出し、続けてフレーム周波数９０Ｈｚで同じく画像Ａを読み出す。さらに、フレーム周波数９０Ｈｚで黒データを読み出すというものである。
【００５４】
ＴＣＯＮ２２は、読み出した画像Ａ、画像Ａ、黒データをＤＯＵＴ１０２として、映像信号ドライバ１６に送出している。
【００５５】
また、グラフィックコントローラ２０からＴＣＯＮ２２にフレーム周波数が６０Ｈｚで送られてきた画像Ｂ、画像Ｃを取り込むタイミングで、ＴＣＯＮ２２は画像ＢをＳＤＲＡＭ２（２４）にフレーム周波数６０Ｈｚで書込み、続けてこの画像Ｂを保持している。
【００５６】
次に、グラフィックコントローラ２０からＴＣＯＮ２２にフレーム周波数が６０Ｈｚで送られてくる画像Ｃ、画像Ｄを取り込むタイミングで、ＴＣＯＮ２２はＳＤＲＡＭ２（２４）からフレーム周波数９０Ｈｚで画像Ｂを読み出し、続けてフレーム周波数９０Ｈｚで同じく画像Ｂを読み出す。さらに、フレーム周波数９０Ｈｚで黒データを読み出す。
【００５７】
ＴＣＯＮ２２は、読み出した画像Ｂ、画像Ｂ、黒データをＤＯＵＴ１０２として、映像信号ドライバ１６に送出している。
【００５８】
また、グラフィックコントローラ２０からＴＣＯＮ２２にフレーム周波数が６０Ｈｚで送られてきた画像Ｃ、画像Ｄを取り込むタイミングで、ＴＣＯＮ２２は画像ＣをＳＤＲＡＭ１（２３）にフレーム周波数６０Ｈｚで書込み、続けてこの画像Ｃを保持している。
【００５９】
このように、図３のようなタイミングチャートでも結果的には図２におけるタイミングチャートの出力データと同じになる。
【図面の簡単な説明】
【００６０】
【図１】本発明の全体構成を示す図面である。
【図２】本発明のタイミングチャートを示す図面である。
【図３】本発明の別のタイミングチャートを示す図面である。
【符号の説明】
【００６１】
１    表示装置、１０  表示領域、１１  走査信号線、１２  映像信号線、
１３  スイッチング素子、１４  画素電極、１５  走査信号ドライバ、
１６  映像信号ドライバ、２０  グラフィックコントローラ、２１  ＴＣＯＮ基板、
２２  タイミングコントローラ、２３  ＳＤＲＡＭ１、２４  ＳＤＡＲＭ２
【図１】
2007225945.tif 000003
【図２】
2007225945.tif 000004
【図３】
2007225945.tif 000005